(57)【要約】【課題】バリアングルディスプレイと撮像装置本体との間の隙間をできるだけ小さくしつつ、ディスプレイのスムーズな開閉を可能とする。【解決手段】撮像装置は、撮像装置本体１と、画像を表示可能なディスプレイ２と、ディスプレイを撮像装置本体に対して開閉方向に回動可能に連結する連結機構３とを有する。連結機構は、閉じた状態のディスプレイが、撮像装置本体に対して、第１の位置と該第１の位置から開閉回動軸Ａに直交する方向に離れた第２の位置との間でスライドすることを許容する。ディスプレイは、第１の位置から第２の位置にスライドすることで連結機構による開き方向への回動が許容される。【選択図】図２
2009017421.tif 000002
【特許請求の範囲】
【請求項１】
撮像装置本体と、
画像を表示可能なディスプレイと、
前記ディスプレイを前記撮像装置本体に対して開閉方向に回動可能に連結する連結機構とを有し、
前記連結機構は、閉じた状態の前記ディスプレイが、前記撮像装置本体に対して、第１の位置と該第１の位置から開閉回動軸に直交する方向に離れた第２の位置との間でスライドすることを許容するように構成されており、
前記ディスプレイは、前記第１の位置から前記第２の位置にスライドすることで前記連結機構による開き方向への回動が許容されることを特徴とする撮像装置。
【請求項２】
前記第１の位置から前記第２の位置にスライドした前記ディスプレイを開き方向に回動させる回動手段を有することを特徴とする請求項１に記載の撮像装置。
【請求項３】
前記第１の位置にある前記ディスプレイの開き方向への回動を阻止するロック機構を有し、前記ディスプレイが前記第１の位置から前記第２の位置へスライドすることに応じて前記ロック機構による開き方向への回動阻止が解除されることを特徴とする請求項１又は２に記載の撮像装置。
【請求項４】
前記ディスプレイの前記第１の位置と前記第２の位置との間でのスライドを検出する検出手段と、
該検出手段による前記ディスプレイのスライド検出に応じて該撮像装置の電源の投入及び遮断を行う制御手段とを有することを特徴とする請求項１から３のいずれか１つに記載の撮像装置。
【請求項５】
前記ディスプレイの前記第１の位置から前記第２の位置へのスライドを検出する検出手段と、
該検出手段による前記ディスプレイのスライド検出に応じて該撮像装置における撮像準備動作及び画像再生準備動作のうち少なくとも一方を行う制御手段とを有することを特徴とする請求項１から４のいずれか１つに記載の撮像装置。
【発明の詳細な説明】
【技術分野】
【０００１】
本発明は、ディスプレイを撮像装置本体に対して開閉動作させることが可能な撮像装置に関する。
【背景技術】
【０００２】
ビデオカメラやデジタルスチルカメラ等の撮像装置には、撮像により取得した又はメモリ等の記録媒体に記録された画像を表示するためのＬＣＤモニタ等のディスプレイが搭載される場合が多い。
【０００３】
また、特許文献１には、ディスプレイを撮像装置本体に対して収納位置と使用位置との間でスライドできる撮像装置が開示されている。さらに、撮像装置には、撮像装置本体に対して回動可能とし、収納位置と使用位置との間で開閉したり、使用位置にて見やすい角度に向けたりすることができるバリアングルディスプレイが搭載されているものもある。
【０００４】
図９には、従来のバリアングルディスプレイを搭載した撮像装置の背面図を示す。図９において、１０１は撮像装置本体（以下、単に本体という）である。１０２はディスプレイであり、１０２ａはディスプレイの表示面である。１０１ａはディスプレイ１０２を本体１０１に対して開閉回動可能に連結するヒンジ機構である。ヒンジ機構１０１ａは、開いた状態のディスプレイ１０２を開閉軸に直交する軸回りで回動させることも可能である。
【特許文献１】特開平８−９８０７１号公報
【発明の開示】
【発明が解決しようとする課題】
【０００５】
図９に示すように、ディスプレイ１０２を本体１０１に対して開閉回動できる撮像装置では、以下のような問題がある。
【０００６】
すなわち、ディスプレイ１０２のスムーズな開閉を可能とするためには、ヒンジ機構１０１ａの周辺部（図中に点線で囲んだ部分）における回動するディスプレイ１０２と本体１０１との干渉を避けなければならない。このため、ディスプレイを閉じた状態において、ヒンジ機構１０１ａの周辺部におけるディスプレイ１０２と本体１０１との間には、ある程度大きな隙間（クリアランス）を設けておく必要がある。
【０００７】
しかしながら、このような大きな隙間を設けると、ディスプレイを閉じた状態（収納した状態）での撮像装置の外観上の品位が低下する。また、ディスプレイが本体からはみ出さないように、ディスプレイを小さくするか本体を大きくする必要がある。
【０００８】
本発明は、バリアングルディスプレイと撮像装置本体との間の隙間をできるだけ小さくしつつ、ディスプレイのスムーズな開閉を可能とした撮像装置を提供する。
【課題を解決するための手段】
【０００９】
本発明の一側面としての撮像装置は、撮像装置本体と、画像を表示可能なディスプレイと、ディスプレイを撮像装置本体に対して開閉方向に回動可能に連結する連結機構とを有する。連結機構は、閉じた状態のディスプレイが、撮像装置本体に対して、第１の位置と該第１の位置から開閉回動軸に直交する方向に離れた第２の位置との間でスライドすることを許容するように構成されている。そして、ディスプレイは、第１の位置から第２の位置にスライドすることで連結機構による開き方向への回動が許容されることを特徴とする。
【発明の効果】
【００１０】
本発明によれば、閉じた状態のディスプレイが第１の位置に配置されることで、従来に比べてディスプレイと撮像装置本体との間の隙間を小さくすることができる。したがって、撮像装置の外観上の品位を向上させることができる。また、ディスプレイを大きくしたり、撮像装置本体を小さくしたりすることができる。さらに、ディスプレイを第２の位置にスライドさせることにより、撮像装置本体との干渉を避けつつスムーズにディスプレイを開閉することができる。
【発明を実施するための最良の形態】
【００１１】
以下、本発明の好ましい実施例について図面を参照しながら説明する。
【００１２】
図１から図４には、本発明の実施例である撮像装置を示している。これらの図において、１は撮像装置本体（以下、単に本体という）である。４は本体１の前面に設けられた沈胴式の撮像レンズであり、５は本体１の上面に設けられたポップアップ式の照明ユニットである。
【００１３】
２はディスプレイであり、本体１の側面に設けられている。ディスプレイ２は、撮像する被写体を確認するためのライブビュー画像を表示可能である。また、ディスプレイ２は、撮像により取得中の画像を表示したり、記録媒体に記録された画像の再生表示に用いられたりする。ディスプレイ２は、ＬＣＤや自発光表示素子等により構成される。２ａはディスプレイ２の表示面である。
【００１４】
図１では、ディスプレイ２は、表示面２ａを本体１側に向けた状態で本体１に対して閉じられ、かつ収納されている。本実施例では、ディスプレイ２のこの位置を第１の位置という。ただし、ディスプレイ２は、表示面２ａを本体１とは反対側（外面側）に向けた状態でもこの第１の位置に配置される。
【００１５】
また、図２では、ディスプレイ２は、図１に示した第１の位置から本体１に対して下方にスライドした状態を示す。本実施例では、ディスプレイ２のこの位置を第２の位置という。
【００１６】
ディスプレイ２は、連結機構としてのヒンジ機構３によって本体１に対して開閉方向に回動可能に保持（連結）されている。図３はディスプレイ２が本体１に対して９０度開いた様子を示している。また、ヒンジ機構３は、開いた状態のディスプレイ２の開閉回動軸に直交する軸回りでの回動も許容する。図４はディスプレイ２が図３の状態から９０度後方に回動した様子を示す。これにより、バリアングルディスプレイが構成される。
【００１７】
上記第２の位置は、第１の位置に対して、ヒンジ機構３の開閉回動軸に直交する方向（下方）に離れた位置である。
【００１８】
なお、図示はしないが、本体１の側面、背面又は上面には、撮像（画像記録）を開始させるスイッチや、撮像モード及び機能を選択又は設定するための選択スイッチ等が配置されている。また、本体１内には、後述する撮像素子（ＣＣＤセンサやＣＭＯＳセンサ等の光電変換素子）や、該撮像素子を用いて生成された画像を記録するための記録媒体を挿入するスロット等が設けられている。
【００１９】
図５には、ヒンジ機構３の構成例を示している。なお、図５の説明において、「上」、「下」、「左」、「右」は、図５での上、下、左、右を意味する。
【００２０】
１１は保持部材である。該保持部材１１は、本体１に形成された凹部１ａ内に収容されている。保持部材１１の左右には、軸部１３が設けられている。該軸部１３は、本体１に取り付けられた軸受け１６によって、図中の軸Ａ回りで回動可能に保持されている。
【００２１】
１２は保持部材１１の内側の凹部内に配置された軸部材である。この軸部材１２は、軸部１３が延びる方向（軸Ａ）に対して直交する方向に延びており、保持部材１１に取り付けられた軸受け１５によって、図中の軸Ｂ回りで回動可能に保持されている。ここで、軸Ｂは、軸Ａに対して直交する方向に延びる軸である。
【００２２】
軸部材１２の下端部は、ディスプレイ２に結合されている。このため、ディスプレイ２は開閉回動軸としての軸Ａ回りで本体１に対して開閉回動することができる。また、ディスプレイ２は、開いた状態で軸Ｂ回りで本体１に対して回動することができる。なお、各軸受けは、ディスプレイ２を各回動位置にてある程度の保持力で保持できる機能を有する。
【００２３】
また、閉じ状態のディスプレイ２は、本体１に形成されたディスプレイ収納用凹部１ｃ内に収められ、図１に示すように、本体１とともに直方体の外観形状を有する撮像装置を構成する。
【００２４】
さらに、軸部材１２は、保持部材１１の内部において軸Ｂが延びる方向（下方）にスライドが可能である。これにより、ディスプレイ２の第１の位置と第２の位置との間でのスライドが許容される。軸部材１２の上端部にはフランジ部１２ａが形成されており、このフランジ部１２ａが保持部材１１の上端内面に当接することで、ディスプレイ２は第１の位置に位置決めされる。また、この位置から軸部材１２が下方にスライドし、フランジ部１２ａが軸受け１５の上端面に当接することで、ディスプレイ２は、図５に２点鎖線で示す第２の位置に位置するとともに、この位置を超える下方へのスライドが阻止される。
【００２５】
また、軸部１３の外周には、ねじりコイルばね（回動手段）１７が取り付けられている。該ねじりコイルばね１７は、保持部材１１、すなわちディスプレイ２を、軸Ａ回りでの開き方向に付勢している。なお、図には、一方の軸部１３に取り付けられたねじりコイルばね１７のみ示しているが、ねじりコイルばね１７を両方の軸部１３の外周に取り付けてもよい。
【００２６】
また、２０はロック機構である。該ロック機構２０は、本体１におけるディスプレイ収納用凹部１ｃの左側内壁に設けられた突起部１ｂと、ディスプレイ２の左端面に設けられた凹凸部２ｂとにより構成されている。
【００２７】
ディスプレイ２が第１の位置に位置する場合は、突起部１ｂが凹凸部２ｂの凸部分に係合する。これにより、ねじりコイルばね１７の開き方向の付勢力を受けているディスプレイ２は、開き方向への回動が阻止され、閉じ状態を維持する（図１参照）。
【００２８】
ディスプレイ２が第２の位置にスライドすると（図２参照）、突起部１ｂに対して凹凸部２ｂもスライドし、突起部１ｂに対して凹凸部２ｂの凹部分が重なる。これにより、ディスプレイ２の開き方向への回動阻止が解除される。ディスプレイ２はねじりコイルばね１７の付勢力によって開き方向の所定位置（例えば、図３に示すように９０度開いた位置）に回動する。
【００２９】
このように、ディスプレイ２を第１の位置から第２の位置にスライドさせることでディスプレイ２が自動的に開き方向の所定位置に回動するように構成することで、ユーザーがディスプレイ２を手動で開き動作させる必要がなくなる。このため、ユーザーの操作負担を軽減することができる。
【００３０】
なお、ディスプレイ２を本体１に対して開いた状態から収納する場合には、ねじりコイルばね１７の付勢力に抗してディスプレイ２を閉じ方向に回動操作し、第２の位置にて閉じる。そして、ディスプレイ２を第２の位置から第１の位置にスライドさせることにより、上記ロック機構２０によりディスプレイ２が閉じ状態でロックされる。
【００３１】
ここで、図５にわかり易く示すように、ディスプレイ２が第１の位置に配置されている場合、図１でもＣで示した領域において、ディスプレイ２と本体１との間にできる隙間（クリアランス）Ｃ１はごく小さい。したがって、この隙間Ｃ１は外観上あまり目立たず、これにより撮像装置の外観上の品位が向上する。また、隙間Ｃ１がごく小さいことから、該隙間が大きい場合に比べて、収納状態で本体１からはみ出ない範囲でディスプレイ２のサイズを大きくしたり、逆に本体１を小さくしたりすることができる。
【００３２】
一方、ディスプレイ２が第２の位置にスライドした状態では、ディスプレイ２と本体１との間にできる隙間Ｃ２は、ディスプレイ２が開閉回動しても本体１に干渉しないために十分な大きさとなる。このため、ディスプレイ２のスムーズな開閉回動が許容される。
【００３３】
このように、本実施例の撮像装置では、閉じた状態のディスプレイ２と本体１との間の隙間を従来よりも小さくすることができるとともに、本体１との干渉を避けつつスムーズにディスプレイ２を開閉することができる。
【００３４】
図６には、本実施例の撮像装置の電気回路構成を簡略化して示している。２１は制御回路（制御手段）であり、ＣＰＵ等により構成されている。制御回路２１は、他の回路に対して制御信号を出力して撮像装置全体の制御を司る。
【００３５】
２２はスライド検出器（検出手段）であり、ディスプレイ２が第１の位置と第２の位置との間でスライドされたことを検出する。
【００３６】
２３は電源回路であり、不図示のバッテリから電力供給を受けて、撮像装置内の各回路に所定の電圧を供給する。
【００３７】
２４は撮像素子駆動回路であり、前述した撮像素子２６を駆動する。２５はディスプレイ駆動回路であり、ディスプレイ２を駆動する。
【００３８】
２８はレンズ駆動回路であり、撮像レンズの沈胴及び突出駆動や、ズーム駆動、フォーカス駆動及び絞り駆動等を行う。
【００３９】
２９は照明ポップアップ駆動回路であり、照明ユニット５のポップアップ駆動を行う。
【００４０】
次に、図７のフローチャートを用いて、本実施例の撮像装置の動作について説明する。この動作は、制御回路２１により、その内部に格納されたコンピュータプログラムに従って実行される。なお、ここでは、撮像装置の主電源がＯＦＦの状態で、サブ電源によって制御回路２１が動作している状態からステップＳ１０１の処理がスタートする。
【００４１】
ステップＳ１０１では、制御回路２１は、スライド検出器２２を通じてディスプレイ２が第１の位置から第２の位置にスライドしたか否かを検出する。スライドしていない場合は、ステップＳ１０１を繰り返し、スライドした場合にはステップＳ１０３に進む。
【００４２】
ステップＳ１０３では、制御回路２１は、主電源をＯＮにする（投入する）。これにより、電源回路２３が動作を開始し、各回路に必要な動作電圧が供給される。
【００４３】
次に、ステップＳ１０５では、制御回路２１は、前述した選択スイッチにおいて撮像モードが選択されているか再生モードが選択されているかを判別する。撮像モードが選択されている場合はステップＳ１０７に、再生モードが選択されている場合にはステップＳ１０９にそれぞれ進む。
【００４４】
ステップＳ１０７では、撮像準備動作を行う。具体的には、レンズ駆動回路２８を通じて撮像レンズ４を図１に示す沈胴位置から図２に示す突出位置に駆動する。このとき、撮像レンズ４のズーム位置をワイド端に設定したり前回の撮像終了時点でのズーム位置に設定したりする。また、測光を行い、被写体が暗い場合には、照明ポップアップ駆動回路２９を通じて、照明ユニット５をポップアップ位置（図１参照）から図２に示すポップアップ位置に駆動する。さらに、ディスプレイ駆動回路２５を通じてディスプレイ２の表示立ち上げ動作を行ったり、画像取得開始に必要な撮像素子２６の立ち上げ動作を撮像素子駆動回路２４を通じて行ったり、オートフォーカスのための初期設定等を行ったりする。
【００４５】
一方、ステップＳ１０９では、画像再生準備動作を行う。具体的には、ディスプレイ駆動回路２５を通じてディスプレイ２の表示立ち上げ動作を行ったり、記録媒体からの画像データの読み出しを行ったりする。
【００４６】
ステップＳ１０７又はステップＳ１０９での準備動作が終了すると、ステップＳ１１１では、制御回路２１は、選択されたモードに対応した動作を行う。
【００４７】
その後、ステップＳ１１３では、制御回路２１は、スライド検出器２２を通じてディスプレイ２が第２の位置から第１の位置にスライドしたか否かを検出する。スライドしていない場合は、ステップＳ１１３を繰り返し、スライドした場合にはステップＳ１１５に進む。
【００４８】
ステップＳ１１５では、制御回路２１は、主電源をＯＦＦにする（遮断する）。これにより、電源回路２３が動作を停止し、各回路への動作電圧の供給も停止される。
【００４９】
本実施例では、ディスプレイ２を第１の位置から第２の位置にスライドさせることに応じて自動的に主電源がＯＮになり、さらに撮像準備動作や画像再生準備動作が行われる。これにより、ユーザーがディスプレイ２をスライド操作するだけで撮像装置は撮像スタンバイ状態又は画像再生スタンバイ状態となる。したがって、ユーザーの操作負担を軽減するとともに、撮像又は再生開始までに要する時間を短縮することができる。
【００５０】
なお、本実施例では、ディスプレイ２の第１の位置から第２の位置へのスライド操作に応じて、主電源のＯＮ／ＯＦＦ、撮像準備動作及び画像再生準備動作を行う場合について説明した。しかし、これらをすべて行う必要はなく、いずれか少なくとも１つを行うようにしてもよい。
【００５１】
図８には、ディスプレイ２を第１の位置で保持するための保持機構を示している。１８は図５に示した軸部材１２の下端部に固定され、ディスプレイ２が結合される結合部材である。該結合部材１８の端部には、係合部１８ａが形成されている。
【００５２】
９は本体１に内蔵されたボールであり、該ボール９は付勢部材であるばね１０によって係合部１８ａの方向に付勢されている。
【００５３】
図８は、ディスプレイ２が第２の位置に配置されている状態を示している。この状態からディスプレイ２（結合部材１８）が第１の位置に向かって（図中の矢印方向に）スライドされると、係合部１８ａの開口部１８ｂにばね１０により付勢されたボール９が入り込み、係合部１８ａと係合する。これにより、ディスプレイ２は第１の位置にて保持される。
【００５４】
また、ディスプレイ２が第１の位置から第２の位置に向けて操作されると、係合部１８ａによってボール９がばね１０の付勢力に抗して戻され、第２の位置へのスライドが許容される。
【００５５】
なお、ボール９が開口部１８ｂに入り込む際に、クリック感や係合音が生じる。また、ボール９が開口部１８ｂから抜け出る際にも、クリック感が生じる。このため、ディスプレイ２に高品位な操作感を与えることができる。
【００５６】
なお、図示はしないが、本実施例の撮像装置において、ディスプレイ２の近傍にレバー等の操作部材を設け、該操作部材を操作することで、ディスプレイ２の第１の位置から第２の位置へのスライド操作を行えるようにしてもよい。これにより、ディスプレイ２の第１の位置から第２の位置へのスライド動作及び所定位置までの開き動作（ねじりコイルばね１７の付勢力による開き動作）を該操作部材を操作するだけで行わせることができる。このため、ユーザーの操作負担を軽減することができる。特に、操作部材を、撮像装置を持った片手の指で操作できる位置に設けることにより、両手を使わなくても撮像等を開始することができる撮像装置を実現できる。
【００５７】
以上説明した各実施例は代表的な例にすぎず、本発明の実施に際しては、実施例に対して種々の変形や変更が可能である。
【００５８】
例えば、上記実施例では、図５に示した軸部材１２を軸Ｂの方向にスライド可能とすることで、ディスプレイ２の第１の位置と第２の位置との間でのスライドを許容した。しかし、保持部材１１に設けられた軸部１３を軸Ｂの方向（ラジアル方向）にスライド可能に構成することで、ディスプレイ２の第１の位置と第２の位置との間でのスライドを許容するようにしてもよい。
【図面の簡単な説明】
【００５９】
【図１】本発明の実施例である撮像装置であって、ディスプレイが第１の位置に収納された状態を示す斜視図。
【図２】実施例の撮像装置であって、ディスプレイが第２の位置にスライドした状態を示す斜視図。
【図３】実施例の撮像装置であって、ディスプレイが所定位置に開動作した状態を示す斜視図。
【図４】実施例の撮像装置であって、ディスプレイが後方に回動した状態を示す斜視図。
【図５】実施例の撮像装置におけるヒンジ機構の概略構成を示す図。
【図６】実施例の撮像装置の電気的構成を示すブロック図。
【図７】実施例の撮像装置の動作を示すフローチャート。
【図８】実施例の撮像装置におけるディスプレイの保持機構を示す斜視図。
【図９】従来の撮像装置を示す背面図。
【符号の説明】
【００６０】
１  撮像装置本体
２  ディスプレイ
３  ヒンジ機構
４  撮像レンズ
５  照明ユニット
【図１】
2009017421.tif 000003
【図２】
2009017421.tif 000004
【図３】
2009017421.tif 000005
【図４】
2009017421.tif 000006
【図５】
2009017421.tif 000007
【図６】
2009017421.tif 000008
【図７】
2009017421.tif 000009
【図８】
2009017421.tif 000010
【図９】
2009017421.tif 000011